(57)【要約】【課題】  表示器システムにおいて、パソコン内でテキストデータをサウンドデータに変換してから表示器に転送することで、表示器自身は簡単で安価な構成で済み、また、サウンドデータの一部を容易に編集可能とする。【解決手段】  表示器システム１は、画面データを作成・編集するコンピュータ２と、転送され、変換されたサウンドデータを再生すると共に画面データを表示する表示器３とを備え、表示器３は、転送されたテキストデータとサウンドデータの属性情報を含む音声情報を格納するメモリ１３を備え、コンピュータ２の制御部４は、表示器３のメモリ１３に格納された音声情報を読み出し、これを編集する音声情報編集部を備える。この音声情報編集部により編集された音声情報を表示器３に転送することで、音声情報を変更することができる。【選択図】図１
2008139577.tif 000002
【特許請求の範囲】
【請求項１】
テキストデータが格納されるテキストデータ記憶部と、前記テキストデータをサウンドデータに変換する音声変換処理部とを有し、画面データを作成・編集するコンピュータと、
前記コンピュータから転送された、前記変換されたサウンドデータを再生すると共に前記画面データを表示する表示器と、を備えた表示器システムであって、
前記表示器は、前記コンピュータから転送されたテキストデータとサウンドデータの属性情報と、を含む音声情報を格納するメモリ部を備え、
前記コンピュータは、前記表示器から前記メモリ部に格納された音声情報を読み出し、これを編集することができる音声情報編集部を備え、
前記音声情報編集部により編集された音声情報を前記表示器に転送することで、該表示器の音声情報を変更することを特徴とする表示器システム。
【請求項２】
前記コンピュータは、前記表示器のメモリ部の記憶容量を把握し、
前記音声変換処理部は、該容量に応じてテキストデータをサウンドデータに変換する音声変換判断部を備えたことを特徴とする請求項１に記載の表示器システム。
【請求項３】
前記音声変換判断部は、前記表示器のメモリ部の記憶容量に応じてサウンドデータへの変換のサンプリングレートを変更することを特徴とする請求項２に記載の表示器システム。
【請求項４】
前記音声変換判断部は、前記表示器のメモリ部の記憶容量に応じて該メモリ部における記憶領域を変更することを特徴とする請求項２に記載の表示器システム。
【請求項５】
前記音声変換処理部は、テキストデータに共通の文節があるか否かを調べ、共通の文節があるとき、新たなサウンドテキストデータを作成することを特徴とする請求項１乃至請求項４のいずれか一項に記載の表示器システム。
【発明の詳細な説明】
【技術分野】
【０００１】
本発明は、テキストデータをサウンドデータに変換するコンピュータと、変換されたサウンドデータを再生する表示器を備えた表示器システムに関する。
【背景技術】
【０００２】
従来の音声機能付き表示器は、例えば、特許文献１や特許文献２に示されるように、パーソナルコンピュータ（パソコン）等のデータ作成装置からテキストデータ及び関連情報の転送を受け、このテキストデータに対応する人工音声で読み上げる音声合成器を備えたものがある。
【特許文献１】特開平７−２４４４９２号公報
【特許文献２】特開２００５−２０２８０１号公報
【発明の開示】
【発明が解決しようとする課題】
【０００３】
ところが、このような表示器においては、表示器自身に、人工音声データや、読み上げ用の音声合成器を備えなければならないため、パソコンと同程度の機能を必要とされ、簡素で安価な表示器にはなり得なかった。また、サウンドデータの一部を編集しようとすると、パソコンにおいて、一からサウンドデータを作成し直す必要があり、手間を要していた。
【０００４】
本発明は、上記問題に鑑みて成されたもので、パソコン内でテキストデータをサウンドデータに変換してから表示器に転送することで、表示器自身は簡単で安価な構成で済み、また、サウンドデータの一部を容易に編集することが可能な表示器システムを提供することを目的とする。
【課題を解決するための手段】
【０００５】
上記目的を達成するために、請求項１の発明は、テキストデータが格納されるテキストデータ記憶部と、前記テキストデータをサウンドデータに変換する音声変換処理部とを有し、画面データを作成・編集するコンピュータと、前記コンピュータから転送された、前記変換されたサウンドデータを再生すると共に前記画面データを表示する表示器と、を備えた表示器システムであって、前記表示器は、前記コンピュータから転送されたテキストデータとサウンドデータの属性情報と、を含む音声情報を格納するメモリ部を備え、前記コンピュータは、前記表示器から前記メモリ部に格納された音声情報を読み出し、これを編集することができる音声情報編集部を備え、前記音声情報編集部により編集された音声情報を前記表示器に転送することで、該表示器の音声情報を変更するものである。
【０００６】
請求項２の発明は、請求項１に記載の表示器システムにおいて、前記コンピュータは、前記表示器のメモリ部の記憶容量を把握し、前記音声変換処理部は、該容量に応じてテキストデータをサウンドデータに変換する音声変換判断部を備えたものである。
【０００７】
請求項３の発明は、請求項２に記載の表示器システムにおいて、前記音声変換判断部は、前記表示器のメモリ部の記憶容量に応じてサウンドデータへの変換のサンプリングレートを変更するものである。
【０００８】
請求項４の発明は、請求項２に記載の表示器システムにおいて、前記音声変換判断部は、前記表示器のメモリ部の記憶容量に応じて該メモリ部における記憶領域を変更するものである。
【０００９】
請求項５の発明は、請求項１乃至請求項４のいずれか一項に記載の表示器システムにおいて、前記音声変換処理部は、テキストデータに共通の文節があるか否かを調べ、共通の文節があるとき、新たなサウンドテキストデータを作成するものである。
【発明の効果】
【００１０】
請求項１の発明によれば、コンピュータ側でテキストデータを表示器での再生に必要なサウンドデータに変換し、表示器に転送するようにしたので、表示器自身の構成は簡素なものとなる。また、サウンドデータの一部を変更する際にも、表示器に格納された音声データをコンピュータ側に読み出すことで、容易に編集を行うことができる。
【００１１】
請求項２、３の発明によれば、表示器のメモリ容量に応じてサウンドデータを作成することができる。
【００１２】
請求項４の発明によれば、表示器のメモリ容量が少ないときは記憶領域が変更されるので、表示器はより多くのサウンドデータを再生可能となる。
【００１３】
請求項５の発明によれば、サウンドデータを作成するときに、データの共通化を行うことで、同じデータの重複作成を避けることができ、サウンドデータ量の削減を図ることができる。
【発明を実施するための最良の形態】
【００１４】
以下、本発明の一実施形態に係る表示器システムについて図面を参照して説明する。図１は、表示器システム１のブロック構成を示す。表示器システム１は、パーソナルコンピュータ２（コンピュータという）と、コンピュータ２から転送されたデータに応じて画面データ（音声をも含む）を出力表示するプログラマブル表示器３（表示器という）と、を備える。この表示器システム１は、例えば、工場の生産ライン等で利用される。コンピュータ２は、ＣＰＵ等から構成された制御部４と、ツールソフトとしての編集プログラム５と、各種データが格納されるメモリ６と、音声変換処理部７と、操作部８と、表示部９とを備える。制御部４は、編集プログラム５に従って画面データを作成・編集する。画面データの編集には、テキストデータと属性情報とから成る音声データ構成情報の編集が含まれる。
【００１５】
メモリ６（データ記憶部）には、ビットマップから成る画面データ６１、テキストデータ６２、音声の属性情報６３が格納される。画面データ６１及びテキストデータ６２は、ユーザが操作部８を操作して直接に入力し、又はネットワークを通じて外部から入力し、又はスキャナーやＯＣＲ等により入力したデータである。属性情報６３は、予め用意されているもので、音声データ素片についての出力スピード、アクセント、イントネーション、サンプリングレート等の属性を含み、ユーザにより選択可能とされている。音声変換処理部７は、制御部４が読み出したテキストデータ６２をサウンドデータに変換し、このサウンドデータを表示器３に転送する。
【００１６】
表示器３は、表示器制御部１２と、コンピュータ２から転送された音声変換処理部７で変換されたサウンドデータを含む音声構成データが格納されるメモリ１３（メモリ部）と、操作部１４と、表示部１５と、音声を再生出力するスピーカ１６とを備える。メモリ１３に格納される音声構成データは、テキストデータ６２（音声情報）とそれに対応するサウンドデータ及びその属性情報６３（音声情報）が含まれる。
【００１７】
また、コンピュータ２の制御部４は、表示器３からメモリ１３に格納された音声情報（テキストデータ、属性情報）を読み出し、これを編集する機能（音声情報編集部）を備え、この音声情報編集部により編集された音声情報を音声変換処理部７を介して改めて表示器３に転送することで、表示器３の音声情報、すなわちサウンドデータを変更することができる。ここに、この音声情報編集部によって、音声情報については自由に編集をすることができる。編集された音声情報を音声変換処理部７に入力することにより、サウンドデータが作成される。
【００１８】
さらにまた、パソコン２の制御部４は、環境設定に応じて表示器３との通信により、表示器２のメモリ１３の容量を常時把握している。音声変換処理部７は、把握しているメモリ１３の容量に応じて音声変換のサンプリングレート等の属性情報を変更して適切な音声変換を行う音声変換判断部７１を持つ。なお、パソコン２と表示器３とは、有線又は無線のライン１０，１１により双方向通信可能に接続される。
【００１９】
上記のように構成された表示器システム１の動作を説明する。ユーザは、コンピュータ２側において予めメモリ６に画面データ６１及びテキストデータ６２を格納しておく。操作部８からのユーザによる操作指令に応じ、制御部４は、編集プログラム５に従ってテキストデータ６２を読み出し、音声変換処理部７により選択された属性情報６３を基に、表示器３での再生に必要なサウンドデータに変換し、表示器３に転送する。表示器３においては、表示器制御部１２は、転送されたサウンドデータ等をメモリ１３に格納し、かつ、表示部１５に画像を表示すると共にスピーカ１６により音声出力する。このように、コンピュータ２側において、テキストデータ６２を表示器３での再生に必要なサウンドデータに変換するので、表示器３自身の構成は簡素なものでよい。ここで、画面データ６１は、テキストデータ６２等と一緒に表示器３に転送されてもよいし、テキストデータ６２等とは別に転送されてもよい。
【００２０】
音声構成データの一部を変更したい場合は、コンピュータ２側からユーザ操作により、表示器３のメモリ１３に格納された音声情報（テキストデータ及び属性情報）を制御部４に読み出させ、表示部９に表示されるテキストデータを参照しつつ編集する。ここに、音声情報であるテキストデータ６２と、属性情報６３は編集可能であるが、メモリ１３のサウンドデータ自身は編集不可である。例えば、テキストデータが、「○○してください」を「××してください」と編集し、属性情報として、２音を１秒で再生するものを、３音を１秒で再生するものに変更する。このようにして、既存のデータを基に容易に編集作業を行うことができる。
【００２１】
次に、音声変換処理部７における音声変換判断部７１の処理の一例について説明する。図２は、音声変換判断部７１によるサンプリングレート変更のフローチャートを示す。音声変換判断部７１は、表示器３のメモリ容量が十分か否かを判断し（Ｓ１）、十分であれば、現在設定の属性値（サンプリングレートＡ）をそのままセットし（Ｓ２）、十分でなければ、サンプリングレートＡを小さな値に変更して（Ｓ３）、設定のサンプリングレートで音声変換処理を行う（Ｓ４）。こうして、表示器３のメモリ容量に応じてサウンドデータを作成することができ、メモリの効率的利用を図ることができる。
【００２２】
同じく音声変換判断部７１の処理の他例について説明する。図３は、音声変換判断部７１による音声データ保存先変更のフローチャートを示す。音声変換判断部７１は、表示器３のメモリ容量が十分か否かを判断し（Ｓ１１）、十分であれば、現在の保存先をそのままセットし（Ｓ１２）、十分でなければ、サウンドデータの保存領域を変更して（Ｓ１３）、音声の保存処理を行う（Ｓ１４）。こうして、表示器３のメモリ容量が少ないときは記憶領域が変更されるので、表示器３はより多くのサウンドデータを再生可能となる。
【００２３】
また、音声変換判断部７１は、サウンドデータ作成時に、テキストデータ６２に共通の文節があるか否かを調べ、共通の文節があるとき、新たなテキストデータを作成する。図４は、テキストデータ６２の構成変更例を示す。音声変換判断部７１は、テキストデータ６２に共通の文節があるか否かを調べ（Ｓ２１）、共通の文節があれば、新たなサウンドテキストデータを作成し（Ｓ２２）、続いて、サウンド再生データを作成し（Ｓ２３）、音声変換処理を行う（Ｓ２４）。このような処理により、データの共通化を図れ、同じデータの重複作成を避けることができる。
【００２４】
図５（ａ）（ｂ）は、上記のテキストデータに共通の文節があるときの新たなサウンドテキストデータの作成、及びサウンド再生データの作成の例を示す。図５（ａ）に示されるように、変換前（元）のテキストデータ６２が３種類あったとき、共通の文節として、「モードに設定してください」が存在する。そこで、変換後（新）のサウンドテキストデータは、１「入力」、２「出力」、３「システム」及び４「モードに設定してください」の４種類とする。これにより、変換後（新）のサウンド再生データは、図５（ｂ）に示されるように、リスト１：１＋４、リスト２：２＋４、及びリスト３：３＋４とする。このような音声変換処理をすることで、テキストデータ１文字（音）につき１のメモリ容量を使うとすると、図５（ｃ）に示されるように、サウンドデータ量は、合計５８音が３０音となり、５２％のメモリ削減効果が得られる。
【図面の簡単な説明】
【００２５】
【図１】本発明の一実施形態に係る表示器システムのブロック構成図。
【図２】同表示器システムにおける音声変換判断部によるサンプリングレート変更のフローチャート。
【図３】同表示器システムにおける音声変換判断部による音声データ保存先変更のフローチャート。
【図４】同表示器システムにおける音声データのテキストデータの構成変更例を示す図。
【図５】（ａ）（ｂ）はサウンドテキストデータ及びサウンド再生データの作成の例を示す図、（ｃ）はその効果を示す図。
【符号の説明】
【００２６】
１  表示器システム
１２  表示器制御部
１３  メモリ（メモリ部）
１６  スピーカ
２  パーソナルコンピュータ（コンピュータ）
３  プログラマブル表示器（表示器）
４  制御部
５  編集プログラム
６  メモリ（データ記憶部）
６２  テキストデータ
６３  属性情報
６４  サウンドデータ
７  音声変換処理部
７１  音声変換判断部
【図１】
2008139577.tif 000003
【図２】
2008139577.tif 000004
【図３】
2008139577.tif 000005
【図４】
2008139577.tif 000006
【図５】
2008139577.tif 000007